(57)【要約】【課題】  予め補給可能な燃料タンク内の空間容量を把握することができ、オーバーフローを防止できる自動車の表示装置を提供する。【解決手段】  自動車の車体側面１２に設けられた燃料補給口部分１３に給油口１６を有する給油管１５に連通する燃料タンク１１と、燃料タンク１１に設けられた燃料油の液面の上部空間容積を検知するセンサ１９と、センサ１９から送信されてくる信号を受信して燃料油の補給可能な空間容量に変換処理を行う制御装置２０と、制御装置２０の制御の元に補給可能な空間容量を表示する空間量表示器２２とを備える。【選択図】      図１
2005053376.tif 000002
【特許請求の範囲】
【請求項１】
自動車の車体側面に設けられた燃料補給口部分に給油口を有する給油管に連通する燃料タンクと、この燃料タンクに設けられた燃料油の液面の上部空間容積を検知するセンサと、このセンサから送信されてくる信号を受信して燃料油の補給可能な空間容量に変換処理を行う制御装置と、この制御装置の制御の元に補給可能な空間容量を表示する空間量表示器とを備えたことを特徴とする自動車の表示装置。
【請求項２】
前記燃料補給口部分の近傍の車体側面には、前記制御装置の制御の元に燃料油の補給可能な空間容量及び予め設定された油種に関するデータを送信する送信機が設けられていることを特徴とする請求項１記載の自動車の表示装置。
【請求項３】
前記センサは、燃料タンクに設けられた燃料油の液面上部空間内の圧力を検知する圧力センサあるいは燃料油の液面を検知する液面センサであることを特徴とする請求項１記載の自動車の表示装置。
【発明の詳細な説明】
【技術分野】
【０００１】
本発明は、燃料タンク内の給油可能な空間容量を把握できる自動車の表示装置に関するものである。
【背景技術】
【０００２】
近年、給油所においては、人件費の削減等で給油作業や自動車の窓拭き等のサービス作業を顧客自身が行うセルフサービス方式が採用されるようになっている。このようなセルフサービス方式の給油所では、給油装置等に設けられた給油案内のための表示あるいは音声に従って顧客がキー操作により給油設定をした後、給油作業を行っている。この種の給油所に設置される給油装置として、本出願人は、一箇所において給油操作案内が設定項目毎に明確に表示でき、操作釦を見易くするとともに確認が容易になる給油案内装置に関する技術を開示している（例えば、特許文献１を参照）。
【特許文献１】特開２００２−２３４５９８号公報（第２〜５ページ、第１及び２図）
【発明の開示】
【発明が解決しようとする課題】
【０００３】
しかしながら、従来のセルフサービス方式の給油装置において、給油設定を行うときに、自動車の残量計等の表示器に表示されている燃料の残量を目安にして給油量を設定するが、残量計は正確な量が確認できないことがあり、指定量に達しないで満タンになることがあった。また、釣銭機等により前払いで処理する給油装置においても、給油量を金額で指定したときに、指定金額に達しないで満タンになることがあった。そのため、燃料油がオーバーフローして、場合によっては火災や爆発等の危険が生じるおそれがあった。
【０００４】
本発明は上記事情に鑑みなされたもので、予め補給可能な燃料タンク内の空間容量を把握することができ、オーバーフローを防止できる自動車の表示装置を提供することを目的とする。
【課題を解決するための手段】
【０００５】
本発明は、自動車の車体側面に設けられた燃料補給口部分に給油口を有する給油管に連通する燃料タンクと、この燃料タンクに設けられた燃料油の液面の上部空間容積を検知するセンサと、このセンサから送信されてくる信号を受信して燃料油の補給可能な空間容量に変換処理を行う制御装置と、この制御装置の制御の元に補給可能な空間容量を表示する空間量表示器とを備えたことを特徴とするものである。空間量表示器に予め補給可能な燃料タンク内の空間容量が表示されるため、オーバーフローを防止できる。
【０００６】
請求項２に記載の発明にあっては、前記燃料補給口部分の近傍の車体側面には、前記制御装置の制御の元に燃料油の補給可能な空間容量及び予め設定された油種に関するデータを送信する送信機が設けられていることを特徴とするものである。補給可能な空間容量及び油種に関するデータが送信機から送信されることで、給油設定を自動的に行うことが可能になる。
【０００７】
請求項３に記載の発明にあっては、前記センサは、燃料タンクに設けられた燃料油の液面上部空間内の圧力を検知する圧力センサあるいは燃料油の液面を検知する液面センサであることを特徴とするものである。圧力センサや液面センサで簡単に燃料タンクの補給可能な空間容量を検知することができる。
【発明の効果】
【０００８】
以上説明したように本発明の自動車の表示装置は、自動車の車体側面に設けられた燃料補給口部分に給油口を有する給油管に連通する燃料タンクと、燃料タンクに設けられた燃料油の液面の上部空間容積を検知するセンサと、センサから送信されてくる信号を受信して燃料油の補給可能な空間容量に変換処理を行う制御装置と、制御装置の制御の元に補給可能な空間容量を表示する空間量表示器とを備えたことで、空間量表示器に予め補給可能な燃料タンク内の空間容量が表示されるため、オーバーフローを防止できる。
【発明を実施するための最良の形態】
【０００９】
以下、本発明を図示の一実施形態により具体的に説明する。図1及び図2は本発明実施形態の自動車の表示装置を説明する図であり、図１は自動車の燃料供給口部分及び燃料タンクを説明する図、図2は自動車の表示装置の制御構成を説明するブロック図である。
【００１０】
本実施形態の自動車の表示装置１０は、自動車に搭載された燃料タンク１１に設けられたセンサ類により燃料の残量とともに補給可能な空間容量を検知して表示できるようにしたものである。
【００１１】
自動車の車体側面１２には、内側に凹部状に形成された燃料補給口部分１３が設けられ、その開口部分には扉１４が開閉自在に設けられている。この扉１４は、例えば、運転席における運転者の操作により、開閉が制御できるようになっている。この燃料補給口部分１３の底部分には、燃料タンク１１に連通する給油管１５の給油口１６が扉１４に対峙するよう取付けられている。この給油口１６には、キャップ１７が取付けられている。すなわち、燃料を給油するときには、扉１４を開き、キャップ１７を外し、給油装置の給油ノズルを給油口１６に差し込むことで燃料を給油することができるようになっている。
【００１２】
また、燃料タンク１１には、燃料油の液面を検知する液面センサ１８、及び液面の上部空間の圧力を検知する圧力センサ１９が取付けられている。この圧力センサ１９は、燃料タンク１１の上部空間の容積に応じて変化する圧力を検知するためのものである。これら液面センサ１８及び液面センサ１８の検知信号は、運転席の操作部分等に設けられた制御装置２０へ送信され、液面センサ１８で検知された液面は、燃料の残量に変換されて残量表示器２１に表示され、また圧力センサ１８で検知された圧力は、燃料タンク１１内に燃料の補給可能な空間容量に変換されて空間量表示器２２に表示される。残量表示器２１は、通常の自動車のように運転席の操作パネルに設けられている。空間量表示器２２は、残量表示機２１と同様に操作パネルに設けることができるが、本実施形態のように、燃料補給のために扉１４を開いたときに見えるよう、補給口１６に隣接した燃料補給口部分１３の底部分に設けられている。
【００１３】
また、燃料補給口部分１３近傍の車体側面１２の内側には、送信機２３が設けられている。この送信機２３は、制御装置２０の制御の元に、圧力センサ１８で検知された圧力に基づく空間容量及び予め決められた油種に関するデータを図示しないセルフサービス方式の給油装置へ送信する部分である。給油装置は、送信機２３から送信されてくるデータを受信する受信機を備えており、顧客の行う給油設定のために使用する。このような送信機２３は、例えば、給油装置に設けられた送信機からの信号に対して応答するトランスポンダ等を使用することができる。
【００１４】
上記構成の自動車の表示装置１０では、燃料タンク１１に設けられた液面センサ１８の検知信号は、制御装置２０で受信され、燃料の残量に変換されて残量表示器２１に表示される。また、燃料タンク１１に設けられた圧力センサ１９の検知信号は、制御装置２０で受信され、燃料タンク１１内に燃料の補給可能な空間容量に変換されて空間量表示器２２に表示される。さらに、本実施形態では、制御装置２０の制御の元に、圧力センサ１８で検知された圧力に基づく空間容量及び予め決められた油種に関するデータが送信機２３から給油装置へ送信される。したがって、給油装置で顧客自身が、例えば、燃料タンク１１に満タンまで給油するときに、残量表示器２１に表示されている残量から燃料タンク１１に給油可能な容量を判断するだけでなく、車体側面１２に設けられた扉１４を開き、空間量表示器２２に表示されている空間量に基づいて満タンまでの給油量を正確に把握することができ、その値の基づいて燃料油の給油設定を行うことができる。これにより、顧客自身が給油量を満タンまで給油設定しても、燃料油がオーバーフローして、火災や爆発等の危険を防ぐことができる。また、本実施形態では、制御装置２０の制御の元に、圧力センサ１８で検知された圧力に基づく空間容量及び予め決められた油種に関するデータが給油口１６近傍の車体側面１１に設けられた送信機２３から送信されるため、給油装置は、送信機２３から送信されてくるデータを受信機で受信して給油設定を自動的に行うことができる。
【００１５】
なお、上記実施形態において、燃料タンク１１に設けた圧力センサ１８で検知される信号で燃料の補給可能な空間容量を把握する例を説明したが、例えば、液面センサ１８で検知した燃料の残量と燃料タンク１１の全容量から、空間容量を把握することも可能である。また、空間量表示器２２は、運転席の操作パネル部分あるいは本実施形態のように燃料補給口部分１３の底部分に設けることができる。
【産業上の利用可能性】
【００１６】
本発明は、自動車の燃料タンクの補給量に関連する表示装置に利用することができる。
【図面の簡単な説明】
【００１７】
【図１】本発明実施形態の自動車の燃料供給口部分及び燃料タンクを説明する図である。
【図２】本発明実施形態の自動車の表示装置の制御構成を説明するブロック図である。
【符号の説明】
【００１８】
１０  表示装置
１１  燃料タンク
１２  車体側面
１３  燃料補給口部分
１４  扉
１５  給油管
１６  給油口
１７  キャップ
１８  液面センサ
１９  圧力センサ
２０  制御装置
２１  残量表示器
２２  空間量表示器
２３  送信機
【図１】
2005053376.tif 000003
【図２】
2005053376.tif 000004